(57)【特許請求の範囲】
【請求項１】
電気炉へスクラップを搬送して装入するスクラップバケットであって、バケット本体の下部に二分割により開閉するゲートを備えたスクラップバケットにおいて、
二分割された前記ゲートをロックするためのゲートロックピンが、ゲートを開閉するゲート開閉用吊りハンガーからゲートロックピン吊り下げチェーンが吊り下げられ、
前記各ゲートのそれぞれには、ゲートが閉の状態の時に上下に重なるとともに前記ゲートロックピンが挿入されて閉ロックが可能なガイド孔が設けられ、
前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであることを特徴とするスクラップバケット。
【請求項２】
前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられていることを特徴とする請求項１に記載のスクラップバケット。
【請求項３】
前記ロックピンのガイド孔のうち、上に重ねられたガイド孔の縦断面がすり鉢形のガイド孔であることを特徴とする請求項１又は２に記載のスクラップバケット。
【請求項４】
前記ロックピンの下端に前記ガイド孔にガイドされるガイドチェーンが連結されていることを特徴とする請求項１、２又は３に記載のスクラップバケット。
【発明の詳細な説明】
【技術分野】
【０００１】
本発明は、製鋼用電気炉へスクラップを搬送して装入するスクラップバケットに関し、特にバケット本体の底部に二分割により開閉するゲートを備えたスクラップバケットに関する。
【背景技術】
【０００２】
電気炉へのスクラップの装入は、スクラップがスクラップバケットと呼ばれる搬送容器に入れられて電気炉上部へ搬送されて投入される（特許文献１、非特許文献１参照）。スクラップバケットは、円筒状のバケット本体の下部に二分割されたゲートを備え、ゲートが両側に開くように回転可能なピン及びレバーで支持されている。
【０００３】
図４において、筒状のバケット本体１の底部に、二分割により開閉するゲート２，２がバケット本体１の下端部の外側を包囲するようにして配置されている。バケット本体１の上部に、バケットを吊り下げるための主巻用フック３を引っ掛ける水平のピン４，４が取り付けられている。バケット本体１に、支持ピン５，５を対称的に突設させ、各支持ピン５，５に、ゲート２，２の各上面にＬ字形の吊リンク６の中間部をそれぞれ回動自在に取り付けると共に、各吊リンク６，６の上端同士がそれぞれリンクプレート７を介してピン連結される。
【０００４】
ゲート２，２の分割面同士が自重によって密着させられることによって内部に収容させたスクラップを保持させるようにしている。２分割したゲート２，２の外側に固定した各吊ピース８，８に補巻用ワイヤロープ９，９の一端が固定され、補巻用ワイヤロープ９，９の他端がゲート開閉用吊りハンガー１０に固定されている。
【０００５】
図５において、ゲート２，２の開き動作は、ゲート２，２に取り付けられた補巻用ワイヤロープ９，９のゲート開閉用吊りハンガー１０を天井クレーンの補巻用フック１１に掛け、クレーンにて巻き上げることで分割構造のゲート２，２が支持ピン５，５を支点として分割面を境に左右方向へ回動して開放される。一方、ゲート２，２の閉動作は、ゲート２，２の自体の重心とゲート２，２の支持位置との関係で補巻用ワイヤロープ９，９を緩めることにより自然に閉まる構造となっている。
【先行技術文献】
【特許文献】
【０００６】
【特許文献１】特開２００８−１５１３９７号公報
【非特許文献】
【０００７】
【非特許文献１】社団法人日本鉄鋼協会編  「鉄鋼便覧」  第II巻『製銑・製鋼』  第３版  第５４１頁  昭和５４年１０月１５日  丸善株式会社発行
【発明の概要】
【発明が解決しようとする課題】
【０００８】
スクラップバケットにスクラップを入れる場合、スクラップがゲート面全体に入る場合は問題ないが、スクラップが少量の場合などでゲートの合わせ面付近だけに集中した場合、スクラップバケットを吊り上げた際に、ゲートを開く方向に力が働き、支持ピンと重心の関係によってゲートが開いてスクラップが落下してしまうという問題があった。
【０００９】
前記のゲートの開き防止のためにスクラップをスクラップバケットに入れる前にゲート開き防止用のゲートロックピンを差し込む等が考えられるが、そうすると電気炉上は作業者が近寄れる場所ではないので容易にロック解除ができない。また、ゲートロックピンを駆動装置で動作させ遠隔操作でロック解除する方法も考えられるが、この場合、駆動のための設備が必要になるだけでなく複雑になるという課題があった。 
【００１０】
そこで、本発明は、スクラップバケットのゲートが不要の時に開くのを防止することができるようにゲートにゲートロックピンが容易にセット可能であるとともに、ロック解除の際に特別な装置を必要とせずに電気炉上で容易にロック解除ができる構造を有するスクラップバケットを提供するものである。
【課題を解決するための手段】
【００１１】
本発明のスクラップバケットは、電気炉へスクラップを搬送して装入するスクラップバケットであって、バケット本体の下部に二分割により開閉するゲートを備えたスクラップバケットにおいて、 二分割された前記ゲートをロックするためのゲートロックピンが、ゲートを開閉するゲート開閉用吊りハンガーからゲートロックピン吊り下げチェーンが吊り下げられ、 前記各ゲートのそれぞれには、ゲートが閉の状態の時に上下に重なるとともに前記ゲートロックピンが挿入されて閉ロックが可能なガイド孔が設けられ、 前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであることを特徴とする。
【００１２】
前記構成において、前記ゲート開閉用吊りハンガーから吊り下げられたゲートロックピン吊り下げチェーンをガイドするガイド孔を有するゲートロックピン吊り下げチェーンガイドを、バケット本体のゲートロックピンが挿入されて閉ロックが可能なガイド孔の直上に設けたり、前記ガイド孔のうち、上に重ねられたガイド孔を縦断面がすり鉢形のガイド孔に形成したり、前記ロックピンの下端に前記ガイド孔にガイドされるガイドチェーンを連結したりしてもよい。
【発明の効果】
【００１３】
本発明により、ゲートを開く際、ゲート開閉用吊りハンガーを巻き上げるとゲートが開く直前にゲートロックピンがガイドから抜け、その後、ゲートが開きゲート開閉用吊りハンガーを下げるとゲートが閉まった後にゲートロックピンがピンガイドに挿入されゲートがロックされる。したがって、従来のゲート開閉操作と同じ操作だけで、容易にゲートのロック・ロック解除が可能となる。
【００１４】
本発明は、少量のスクラップ装入時にスクラップバケットを吊り上げてもゲートが開かないようゲートにゲートロックピンを容易に挿入できるとともに、特別な装置は必要とせずに電気炉上で容易にロック解除ができる構造の電気炉スクラップバケットを提供するものである。
【図面の簡単な説明】
【００１５】
【図１】（ａ）は本発明のスクラップバケットの正面概略図、（ｂ）は同側面概略図である。
【図２】（ａ）は本発明のスクラップバケットのゲートロックピンガイド、（ｂ）はゲートロックピンガイドとゲートロックピンを示す概略側面図である。
【図３】（ａ）は本発明のスクラップバケットのゲートを開いた状態を示す正面概略図、（ｂ）は同側面概略図である。
【図４】（ａ）は従来のスクラップバケットの正面概略図、（ｂ）は同側面概略図である。
【図５】（ａ）は従来のスクラップバケットのゲートを開いた状態を示す正面概略図、（ｂ）は同側面概略図である。
【発明を実施するための形態】
【００１６】
本発明の実施例について、図を参照しながら説明する。
【実施例】
【００１７】
図１において、本発明のスクラップバケットのバケット本体、ゲート及びゲートの開閉構造は、図４に示す従来のスクラップバケットと同じであり、同じ部材には同一の符号を付している。
【００１８】
図１において、筒状のバケット本体１の底部に、下部が左右に開く２分割構造の皿状のゲート２，２がバケット本体１の下端部の外側を包囲するようにして配置されている。バケット本体１の上部には、主巻用フック３を引っ掛けるための水平のピン４，４が取り付けられている。バケット本体１に、２本の支持ピン５，５を対称的に突設させ、各支持ピン５，５に、各ゲート２，２の各上面にＬ字形の吊リンク６の中間部をそれぞれ回動自在に取り付けるとともに、吊リンク６，６の上端同士がそれぞれリンクプレート７を介してピン連結される。
【００１９】
２分割した各ゲート２，２の外側に固定した吊ピース８，８に補巻用ワイヤロープ９の一端を結着させ、補巻用ワイヤロープ９の他端をゲート開閉用吊りハンガー１０に固定する。ゲート開閉用吊りハンガー１０を補巻用フック１１に掛けてクレーンにて巻き上げることにより、分割構造のゲート２，２が支持ピン５，５を支点として分割面を境に左右方向へ回動して開放されるようにしてある。
【００２０】
補巻用ワイヤロープ９のゲート開閉用吊りハンガー１０にはゲートロックピン吊り下げチェーン１２の一端が固定されており、ゲートロックピン吊り下げチェーン１２はバケット本体１に固定されたチェーンガイド１３のガイド孔１４にガイドされて自重により垂下している。ゲートロックピン吊り下げチェーン１２の下方にはゲート２をロックするゲートロックピン１５がゲートロックピン吊り下げチェーン１２の長さ方向の垂直軸線上に沿って取り付けられる。
【００２１】
ゲートロックピン１５は、両側のゲート２，２のそれぞれの合わせ面の上部に設けられたゲートロックピン用ガイド１６，１８をゲート２，２の開閉時に出入り自在の位置に取り付けられている。ゲートロックピン用ガイド１６，１８は、ゲート２，２が閉まっている状態では重なり、上側のゲートロックピン用ガイド１６には上下が開放された縦断面がすり鉢形のガイド孔１９が形成され、下側のゲートロックピン用ガイド１８には上側のゲートロックピン用ガイド１６のガイド１９に一致するガイド孔２０が形成されている。
【００２２】
ゲートロックピン吊り下げチェーン１２の長さは、ゲート２，２を閉じた状態の時、ゲートロックピン１５がゲートロックピン用ガイド１６，１８に挿入された状態で停止する長さとするとともに、ゲート開閉用吊りハンガー１０を巻き上げた際にゲート２，２が開く直前にゲートロックピン１５が前記ガイド孔１９，２０から抜けてロック解除される長さにする。
【００２３】
なお、ゲートロックピン１５の下端にはさらにゲートロックピン１５をゲートロックピン用ガイド１６，１８に確実にガイドするため、ガイドチェーン１７を連結してもよい。
【００２４】
ゲートロックピン用ガイド１６，１８のガイド孔１９，２０には、ゲート２，２が閉まっている状態では、ゲートロックピン１５が位置し、ゲート２が開いた状態では、ゲートロックピン１５が上方に抜かれており且つゲートロックピン１５の下端に垂れているガイドチェーン１７がガイドされ垂下している。
【００２５】
次に、ゲート２，２の開閉動作について説明する。
【００２６】
ゲート２を閉じた状態では、ゲート開閉用吊りハンガー１０が下がってゲートロックピン１５がゲートロックピン用ガイド１６，１８に挿入された位置に停止してゲート２がロックされる。この状態で、所定量のスクラップをスクラップバケット内に投入した後、主巻用フック３をピン４に掛けてスクラップバケットを支持し、電気炉の上部へ搬送する。
【００２７】
電気炉の上部に達すると、事前にゲート開閉用吊りハンガー１０に掛けていた補巻用フック１１を巻き上げると、ゲートロックピン吊り下げチェーン１２が引っ張られてゲートロックピン１５がゲートロックピン用ガイド１６，１８から抜けてロックが解除され、さらに補巻用ワイヤロープ９が引っ張られてゲートが開く。
【００２８】
電気炉にスクラップを装入後、ゲート開閉用吊りハンガー１０を下げていくと、ゲート２，２が自重で閉じられる。ゲート開閉用吊りハンガー１０を下げていく際に、ゲートロックピン吊り下げチェーン１２はチェーンガイド１３のガイド孔１４にガイドされて自重により垂下し、この垂下にともなってゲートロックピン用ガイド１６，１８のガイド孔１９，２０から抜けているゲートロックピン１５はガイド孔１９，２０へ挿入されてゲート２，２がロックされる。ゲートロックピン１５にガイドチェーン１７が取り付けられている場合には、ガイドチェーン１７がガイド孔１９，２０にガイドされてゲートロックピン１５がガイド孔１９，２０に確実に挿入されてゲート２がロックされる。
【符号の説明】
【００２９】
１：バケット本体
２：ゲート
３：主巻用フック
４：ピン
５：支持ピン
６：吊リンク
７：リンクプレート
８：吊ピース
９：補巻用ワイヤロープ
１０：ゲート開閉用吊りハンガー
１１：補巻用フック
１２：ゲートロックピン吊り下げチェーン
１３：ゲートロックピン吊り下げチェーンガイド
１４：ガイド孔
１５：ゲートロックピン
１６：ゲートロックピン用ガイド
１７：ガイドチェーン
１８：ゲートロックピン用ガイド
１９：すり鉢形のガイド孔
２０：ガイド孔
【図１】
0006378617.tif 000002
【図２】
0006378617.tif 000003
【図３】
0006378617.tif 000004
【図４】
0006378617.tif 000005
【図５】
0006378617.tif 000006